【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
（１）結晶ポリプロピレン樹脂及び
（２）式（Ｉ）
【化１】
2005528498.tif 000001
（式中、
Ｒ1、Ｒ2及びＲ3は、互いに独立して、
炭素原子数１ないし２０のアルキル基、
炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数２ないし２０のアルキル基；
炭素原子数３ないし２０のアルケニル基、
炭素原子数５ないし１２のシクロアルキル基、
１、２又は３個の炭素原子数１ないし１０のアルキル基により置換された炭素原子数５
ないし１２のシクロアルキル基；
シクロヘキシルメチル基；
１、２又は３個の炭素原子数１ないし１０のアルキル基により置換されたシクロヘキシ
ルメチル基；
炭素原子数５ないし９のシクロアルケニル基、
１、２又は３個の炭素原子数１ないし１０のアルキル基により置換された炭素原子数５
ないし９のシクロアルケニル基；
炭素原子数１ないし１０のアルキル基、炭素原子数１ないし１０のアルキルオキシ基、ヒドロキシ基、ハロゲン原子、トリハロゲンメチル基、トリハロゲンメトキシ基、ベンゾイル基、フェニルアミノ基、アシルアミノ基及びフェニルアゾ基からなる群より選択された１、２又は３個の基により置換されたフェニル基；
炭素原子数７ないし９のフェニルアルキル基、
炭素原子数１ないし１０のアルキル基、炭素原子数１ないし１０のアルコキシ基及びヒドロキシ基からなる群より選択された１、２又は３個の基によりフェニル基上で置換された炭素原子数７ないし９のフェニルアルキル基；
ナフチル基、
炭素原子数１ないし１０のアルキル基により置換されたナフチル基、
アダマンチル基、又は
５又は６員ヘテロ環基を表す。）
で表される１種又はそれ以上のβ−核剤
を含有する組成物であって、前記ポリプロピレン樹脂は、次式
β−形態結晶の含量（％）＝１００×Ｐβ1／（Ｐα1＋Ｐα2＋Ｐα3＋Ｐβ1）
（式中、Ｐα1ないしＰα3は、広角Ｘ線散乱により決定されたα−形態の各々のピーク高（最大）を表し、及びＰβ1はβ−形態のピーク高（最大）を表す。）
を用いて計算された少なくとも１０％のβ−形態結晶の含量を有することを特徴とする組成物。
【請求項２】
前記成分（１）のβ−形態結晶は、周囲温度にて又は温度（Ｔs）
Ｔs≦Ｔcr＋３５℃
（Ｔcrは、１０Ｋ／分の冷却速度にて溶融ポリプロピレン樹脂を冷却することにより、示差走査熱分析（ＤＳＣ）により決定されたとおりのβ−核剤なしのポリプロピレン樹脂（成分（１））の再結晶化温度を表す。）にて固化され、及び／又はアニールされる請求項１記載の組成物。
【請求項３】
前記成分（１）のポリプロピレン樹脂は、１５ないし８０％のβ−形態結晶の含量を有する請求項１記載の組成物。
【請求項４】
前記成分（１）はポリプロピレンホモポリマーである請求項１記載の組成物。
【請求項５】
前記成分（１）は、エチレン、炭素原子数４ないし２０のα−オレフィン、ビニルシクロヘキサン、ビニルシクロヘキセン、炭素原子数４ないし２０のアルカンジエン、炭素原子数５ないし１２のシクロアルカンジエン及びノルボルネン誘導体からなる群より選択された１種又はそれ以上のコモノマーを含有するポリプロピレンランダムコポリマー、交互又はセグメントコポリマー或いはブロックコポリマーである請求項１記載の組成物。
【請求項６】
前記成分（１）は熱可塑性ポリオレフィン（ＴＰＯ）である請求項１記載の組成物。
【請求項７】
（３）他のポリマー（但し、成分（３）は成分（１）と異なる。）を付加的に含有する請求項１記載の組成物。
【請求項８】
式中、
Ｒ1、Ｒ2及びＲ3は、互いに独立して、
炭素原子数１ないし２０のアルキル基、
炭素原子数１ないし４のアルキルアミノ基、ジ（炭素原子数１ないし４のアルキル）アミノ基、炭素原子数１ないし４のアルキルオキシ基又はヒドロキシ基により置換された炭素原子数２ないし１０のアルキル基；
炭素原子数３ないし２０のアルケニル基、
炭素原子数５ないし１２のシクロアルキル基、
１、２又は３個の炭素原子数１ないし４のアルキル基により置換された炭素原子数５ないし１２のシクロアルキル基；
シクロヘキシルメチル基；
１、２又は３個の炭素原子数１ないし４のアルキル基により置換されたシクロヘキシル
メチル基；
炭素原子数１ないし４のアルキル基、炭素原子数１ないし４のアルキルオキシ基又はヒドロキシ基からなる群より選択された１、２又は３個の基により置換されたフェニル基；
ベンジル基、
炭素原子数１ないし４のアルキル基、炭素原子数１ないし４のアルコキシ基及びヒドロキシ基からなる群より選択された１、２又は３個の基によりフェニル基上で置換されたベンジル基；
ナフチル基、又は
炭素原子数１ないし４のアルキル基により置換されたナフチル基
を表す請求項１記載の組成物。
【請求項９】
式中、
Ｒ1、Ｒ2及びＲ3は、互いに独立して、
炭素原子数１ないし２０のアルキル基、
炭素原子数１ないし４のアルキルアミノ基、ジ（炭素原子数１ないし４のアルキル）アミノ基又は炭素原子数１ないし４のアルキルオキシ基により置換された炭素原子数２ないし６のアルキル基；
炭素原子数５ないし１２のシクロアルキル基、
１、２又は３個の炭素原子数１ないし４のアルキル基により置換された炭素原子数５ないし１２のシクロアルキル基；
シクロヘキシルメチル基；
１、２又は３個の炭素原子数１ないし４のアルキル基により置換されたシクロヘキシル
メチル基；
１、２又は３個の炭素原子数１ないし４のアルキル基により置換されたフェニル基；
ベンジル基、
１、２又は３個の炭素原子数１ないし４のアルキル基によりフェニル基上で置換されたベンジル基；
ナフチル基
を表す請求項１記載の組成物。
【請求項１０】
式中、
Ｒ1、Ｒ2及びＲ3は、互いに独立して、
ブチル基、オクチル基又はオクタデシル基、
３−ジメチルアミノプロピル基、３−メトキシプロピル基又は２−メトキシエチル基、
シクロヘキシル基、シクロヘプチル基、シクロオクチル基又はシクロドデシル基、
３−メチルシクロヘキシル基又は２，３−ジメチルシクロヘキシル基、
１−シクロヘキシルエチル基、
３，４−ジメチルフェニル基、
ベンジル基、又は
ナフチル基
を表す請求項１記載の組成物。
【請求項１１】
式中、Ｒ1、Ｒ2及びＲ3は同一であり、そして２，３−ジメチルシクロヘキシル基、第三
オクチル基又はシクロオクチル基を表す請求項１記載の組成物。
【請求項１２】
式中、Ｒ1、Ｒ2及びＲ3は同一である請求項１記載の組成物。
【請求項１３】
ポリプロピレン樹脂にβ−形態結晶を与える方法であって、前記ポリプロピレン樹脂に請求項１で定義されたとおりの１種又はそれ以上のβ−核剤を配合することをからなる方法。
【請求項１４】
請求項１記載の組成物を含有する造形品。
【請求項１５】
成形品である請求項１４記載の造形品。
【請求項１６】
成形は、射出、ブロー、圧縮、回転又はスラッシュ成形或いは押出しにより行われる請求項１５記載の造形品。
【請求項１７】
フィルム、繊維、形材、パイプ、ボトル、タンク又は容器である請求項１４記載の造形品。
【請求項１８】
請求項１７記載のフィルムを延伸することにより形成された一軸延伸フィルム又は二軸延伸フィルム。
【請求項１９】
請求項１７記載の繊維を延伸することにより形成された繊維。
【請求項２０】
１つ又はそれ以上の層が請求項１記載の組成物を含有する多層系。